(57)【要約】【課題】軸筒本体の材質に限定されることなく、グリップ部材を容易に装着可能な筆記具の軸筒を簡単な構造で提供することにある。【解決手段】軸筒本体の把持部に、中央部の外径よりも後端部の外径の大きい軟質材からなるグリップ部材を着脱自在に装着してなる筆記具の軸筒であって、前記把持部の後端部の外径が、前記把持部の中央部の外径から後端部に向かって階段状に大きくするとともに、前記グリップ部材の内径を、グリップ部材の中央部の内径よりも後端部の内径を大きくし、前記グリップ部材の内壁面を、中央部から後端部に向かって拡径する傾斜状又は円弧状に形成し、前記グリップ部材の内壁面と把持部の外壁面に空間部を形成したことを特徴とする。【選択図】図１
2009029029.tif 000002
【特許請求の範囲】
【請求項１】
軸筒本体の把持部に、中央部の外径よりも後端部の外径の大きい軟質材からなるグリップ部材を着脱自在に装着してなる筆記具の軸筒であって、前記把持部の後端部の外径が、前記把持部の中央部の外径から後端部に向かって階段状に大きくするとともに、前記グリップ部材の内径を、グリップ部材の中央部の内径よりも後端部の内径を大きくし、前記グリップ部材の内壁面を、中央部から後端部に向かって拡径する傾斜状又は円弧状に形成し、前記グリップ部材の内壁面と把持部の外壁面に空間部を形成したことを特徴とする筆記具の軸筒
【請求項２】
前記把持部が、少なくとも２部品から構成されていることを特徴とする請求項１に記載の筆記具の軸筒
【請求項３】
前記把持部の少なくとも一部が、金属材料からなることを特徴とする請求項１または２に記載の筆記具の軸筒
【発明の詳細な説明】
【技術分野】
【０００１】
本発明は、軸筒の把持部に、軟質材からなるグリップ部材を着脱自在に装着してなる筆記具の軸筒に関する。
【背景技術】
【０００２】
従来から、特開２００２−４６３８７号公報「筆記具用グリップ材」に開示されているように、軸筒の把持部に、軟質材からなるグリップ部材を着脱自在に装着してなる筆記具の軸筒は知られている。
【０００３】
こうした筆記具の軸筒構造において、特開平８−２０７４８５号「筆記具における把持部構造」に、グリップ部材の中央部の内径よりも後端部の内径を大きくする構造が開示されている。これは、軸筒の把持部にグリップ部材を装着する時に、軸筒の先端側からグリップ部材を装着し易いためである。
【特許文献１】「特開２００２−４６３８７号公報」
【特許文献２】「特開平０８−２０７４８５号公報」
【発明の開示】
【発明が解決しようとする課題】
【０００４】
しかしながら、特許文献２は、グリップ部材の中央部の内径よりも後端部の内径を大きくするだけでなく、対応する把持部の形状も先端側から後端側に向かって順次大形となるように形成してあるため、軸筒本体を金属部品で形成する場合には、把持部の形成が困難であるため、軸筒本体に用いる材質が特定されてしまう等の問題があった。
【０００５】
こうした問題を鑑みて、特許文献１のように、軸筒の把持部の外径を略同一とし、グリップ部材の肉厚によって、グリップ部材の外径差を設けていたが、肉厚が厚い部分を有するグリップ部材は、成形時にヒケや樹脂の流れ不良による模様等が発生し易い問題があった。
【０００６】
本発明はこうした問題に鑑み、軸筒本体の材質に限定されることなく、グリップ部材を容易に装着可能できる筆記具の軸筒を簡単な構造で提供することにある。
【課題を解決するための手段】
【０００７】
本発明は、軸筒本体の把持部に、中央部の外径よりも後端部の外径の大きい軟質材からなるグリップ部材を着脱自在に装着してなる筆記具の軸筒であって、前記把持部の後端部の外径が、前記把持部の中央部の外径から後端部に向かって階段状に大きくするとともに、前記グリップ部材の内径を、グリップ部材の中央部の内径よりも後端部の内径を大きくし、前記グリップ部材の内壁面を、中央部から後端部に向かって拡径する傾斜状又は円弧状に形成し、前記グリップ部材の内壁面と把持部の外壁面に空間部を形成したことを特徴とする。
【０００８】
また、前記把持部が、少なくとも２部品から構成されていることを特徴とする。
【０００９】
更にまた、前記把持部の少なくとも一部が、金属材料からなることを特徴とする。
【００１０】
尚、本発明のグリップ部材は、弾性変形可能な軟質材、例えば、天然ゴム、シリコーンゴム、ブチルゴム、フッ素ゴム、塩化ビニル樹脂、ブタジエンゴム、ウレタンゴム、ポリエチレン樹脂、その他合成ゴム等、グリップ部材として一般的に知られている弾性体のなかから適宜選定すればよい。
【発明の効果】
【００１１】
本発明は軸筒本体の材質に限定されることなく、グリップ部材を容易に装着可能な筆記具の軸筒を簡単な構造で提供することができた。
【発明を実施するための最良の形態】
【００１２】
次に図面を参照しながら、本発明の筆記具の軸筒の実施例を説明するが、本発明は以下の実施例に限定されるものではない。
【００１３】
実施例１
図１から図５に示す本発明の筆記具の軸筒１は、黄銅からなる前軸２と後軸３とを、ＰＣ樹脂からなる連結具５を介して連結して軸筒本体を構成し、後軸３内にＰＯＭ樹脂で形成した回転カム９からなる出没機構を具備している。
【００１４】
この回転カム９からなる出没機構は、従来から知られているもので、簡単に説明すると、後軸３の後端部の内壁面に回転カム９を前後に摺動案内し回転させるためのカム溝（図示せず）を形成し、このカム溝に、回転カム９に形成した突起を係合して配設してある。回転カム９の後端には、回転カムを摺動し回転を付与するためのカム部を先端に有した、ＡＢＳ樹脂からなる黒色のノック体１０を、後軸３の後端より外方に突出した状態に配設した構造である。また、回転カム９の段部とノック体１０の段部間にはコイルスプリング１２を配設し、ノック体１０を常時、後軸３の後端方向に付勢して配設してある。
【００１５】
更にまた、回転カム９の前方には、筆記具用インキ（図示せず）を収容したインキ収容管１４の先端部にボールペンチップ１６を、チップホルダー１５を介して装着し、後端部に尾栓１７を装着した筆記具用レフィルをコイルスプリング１１により後軸３の後端方向へ付勢して、摺動自在に配設してある。また、前軸２の把持部にはグリップ部材６を配設し、グリップ部材６と連結具５間には中間リング７、後軸３の先端部の表面に外装部材８、後軸３の後端部にはクリップ部材１３を付設してある。
【００１６】
また、前軸２の把持部は、前軸２と連結具５とからなり、後端部（連結具５）の外径Ｌを、把持部における他の部分（前軸２）の外径Ｍより大きくし、把持部が後端部に向かって、連結具５の段部５ａによって、階段状に外径を大きく形成してあり、グリップ部材６の内径を、グリップ部材６の中央部の内径Ｎよりも後端部の内径Ｏを大きくしてある。また、グリップ部材６の内壁面６ａは、中央部から後端部に向かって拡径する傾斜部６ａにより傾斜状に形成してあるため、グリップ部材６の先端部の肉厚Ｐから、グリップ部材６の傾斜部６ａの肉厚Ｑ、後端部の肉厚Ｒと、除々に肉厚Ｒが小さくなるように形成してある。
【００１７】
把持部の後端部の外径Ｌを、把持部の中央部の外径Ｍから後端部に向かって、連結具５の段部５ａによって、階段状に大きくすることによって、軸筒本体を金属部品や実施例のような前軸２と連結具５等、２部品以上から構成することが可能となる。また、グリップ部材６の中央部の内径Ｎよりも後端部の内径Ｏを傾斜状に大きくすることによって、肉厚差が発生し難くなるため、グリップ部材６の成形時にヒケや樹脂の流れ不良による模様等が発生することがなく、外径差のあるグリップ部材を装着することができるため、デザインの幅を広げることも可能となる。
【００１８】
また、把持部の後端部の外径Ｌを、把持部の中央部の外径Ｍから後端部に向かって階段状に大きくし、グリップ部材６の内壁面を、中央部から後端部に向かって拡径する傾斜部６ａによって傾斜状に形成してグリップ部材の内径を、グリップ部材の中央部の内径Ｎよりも後端部の内径Ｏを大きくすることによって、把持部の外壁面とグリップ部材６の内壁面に空間部Ｋが形成されるため、グリップ部材６を把持した時の把持感触を向上することができる。
【００１９】
本発明の実施例では、便宜上、前軸と連結部材の２部品によって、把持部の中央部の外径から後端部に向かって階段状に大きくした把持部を形成してあるが、把持部を一体にて中央部の外径から後端部に向かって階段状に大きく形成してあってもよい。但し、把持部を２部品以上の部品から構成することによって、把持部の中央部の外径から後端部に向かって階段状に大きくした把持部を形成しやすく、且つ、図示はしていないが、複数の段部を形成し易いため最も好ましい。
【００２０】
また、本発明の実施例では、便宜上、黄銅からなる前軸と、ＰＣ樹脂からなる連結具によって把持部を形成してあるが、把持部は、金属製、樹脂製に限定されるものでなく、適宜選定して使用することができるが、把持部の少なくとも一部が金属材料の場合には、傾斜状や円弧状等の形状を形成し難いため、本願発明の効果は顕著である。また、金属材料は黄銅に限定されるものではなく、他の銅合金やアルミニウム等、適宜選定することができる。
【産業上の利用可能性】
【００２１】
ノック式やキャップ式に限定されることなく、ボールペン、マーカー、塗布具等、ペン先の種類や使用するインキ種類に限定されないため、筆記具の軸筒として広く実施可能である。
【図面の簡単な説明】
【００２２】
【図１】本発明の筆記具の軸筒を示す、縦断面図である。
【図２】図１におけるペン先部を突出した状態を示す図である。
【図３】図１における一部省略した要部拡大断面図である。
【図４】図３におけるグリップ部材を省略した要部拡大断面図である。
【図５】図１におけるグリップ部材の拡大断面図である。
【符号の説明】
【００２３】
１  筆記具の軸筒
２  前軸
３  後軸
４  口金
４ａ  先端開口部
５  連結具
５ａ  段部
６  グリップ部材
６ａ  傾斜
７  中間リング
８  外装部材
９  回転カム
１０  ノック体
１１、１２  コイルスプリング
１３  クリップ部材
Ｋ  空間部
Ｌ  把持部の後端部外径
Ｍ  把持部の中央部の外径
Ｎ  グリップ部材の中央部の内径
Ｏ  グリップ部材の後端部の内径
Ｐ  グリップ部材の先端部の肉厚
Ｑ  グリップ部材の傾斜部の肉厚
Ｒ  グリップ部材の後端部の肉厚
【図１】
2009029029.tif 000003
【図２】
2009029029.tif 000004
【図３】
2009029029.tif 000005
【図４】
2009029029.tif 000006
【図５】
2009029029.tif 000007